(57)【特許請求の範囲】
【請求項１】
陸屋根を有する建物の屋根裏換気構造であって、
前記陸屋根の屋根面を形成する屋根部材を支持する垂木が下側部材と接して屋根裏空間が形成されているとともに、
前記垂木の長辺側両側面間を貫通して通気孔が設けられており、
前記垂木は、天井梁間に架設されており、
前記天井梁の外側面に庇アーム部材が略水平に固定して設けられており、当該庇アーム部材の外側端部に、パラペットが固定して設けられており、
前記庇アーム部材の下側面に軒天パネルが貼設されているとともに、当該軒天パネルの外側端部と前記パラペットの下端部との間に、前記屋根裏空間と連通する換気口が形成されていることを特徴とする陸屋根の屋根裏換気構造。
【請求項２】
前記垂木は、端部が前記天井梁の上側面に載置されて架設されていることを特徴とする請求項１に記載の陸屋根の屋根裏換気構造。
【請求項３】
前記垂木の端部と前記天井梁の上側面との間には、断面略Ｗ字形状の受け部材が設けられており、当該受け部材の前記垂木の端面と接した立ち上がり部が、前記屋根部材の下側面と間隔をあけて設けられていることを特徴とする請求項２に記載の陸屋根の屋根裏換気構造。
【請求項４】
前記通気孔は、前記垂木の上側又は下側に形成された切欠、又は前記垂木の上下間の中間位置に形成された貫通孔であることを特徴とする請求項１乃至３のいずれか１項に記載の陸屋根の屋根裏換気構造。
【請求項５】
前記通気孔は、前記垂木に複数設けられており、該垂木の長手方向の両端部の近傍には、前記切欠として、矩形の切欠が形成されており、該垂木の長手方向の中間部には、前記貫通孔として、円形の貫通孔が形成されていることを特徴とする請求項４に記載の陸屋根の屋根裏換気構造。
【請求項６】
前記下側部材は、断熱材であることを特徴とする請求項１乃至５のいずれか１項に記載の陸屋根の屋根裏換気構造。
【請求項７】
請求項１乃至６のいずれか１項に記載の陸屋根の屋根裏換気構造を備えていることを特徴とする建物。
【発明の詳細な説明】
【技術分野】
【０００１】
本発明は、陸屋根の屋根裏換気構造及びこの屋根裏換気構造を備えた建物に関するものである。
【背景技術】
【０００２】
従来から、陸屋根の建物において、雨仕舞いの容易性を考慮して、庇部の上側に軒樋を設けることがなされている。
【０００３】
この庇部は、陸屋根の屋根面の端部を覆い隠す化粧材の役目も兼ねており、屋根裏換気のための換気口も設けられている（例えば、特許文献１等を参照）。
【先行技術文献】
【特許文献】
【０００４】
【特許文献１】特開２０００−３２８７４６号公報
【発明の概要】
【発明が解決しようとする課題】
【０００５】
上記したような従来の陸屋根では、庇部のパラペットの部分の高さが高くて目立ち過ぎ、建物の意匠的美観を損ねるおそれがあるとの意見も聞かれる。
【０００６】
こうした意見を採り入れ、庇部のパラペットの部分の高さを低くし、庇部をコンパクトにしようとすると、屋根面の端部を覆い隠すためには、屋根面を低くしなければならない。
【０００７】
しかしながら、陸屋根の強度及び断熱性能を確保し、さらには下部の屋内空間の高さも低くせずに、屋根面を低くすると、屋根面を形成する屋根部材を支持する垂木とその下部の断熱材との間の隙間が無くなり、垂木の長手方向と直交する方向では通気ができず、風の強さが弱いときや、風の向きに偏りがあるときは良好な屋根裏換気が殆ど行えなくなるという問題が生じてしまう。
【０００８】
そこで、本発明は、庇部をコンパクトにして意匠的美観を良くすることができるとともに、良好な屋根裏換気を行うことができる陸屋根の屋根裏換気構造及びこの屋根裏換気構造を備えた建物を提供することを目的としている。
【課題を解決するための手段】
【０００９】
前記目的を達成するために、本発明の陸屋根の屋根裏換気構造は、陸屋根を有する建物の屋根裏換気構造であって、前記陸屋根の屋根面を形成する屋根部材を支持する垂木が下側部材と接して屋根裏空間が形成されているとともに、前記垂木の長辺側両側面間を貫通して通気孔が設けられていることを特徴とする。
【００１０】
ここで、前記通気孔は、前記垂木の上側又は下側に形成された切欠、又は前記垂木の上下間の中間位置に形成された貫通孔であるとよい。
【００１１】
また、前記通気孔は、前記垂木に複数設けられており、該垂木の長手方向の両端部の近傍には、前記切欠として、矩形の切欠が形成されており、該垂木の長手方向の中間部には、前記貫通孔として、円形の貫通孔が形成されているとよい。
【００１２】
さらに、前記下側部材は、断熱材であるとよい。
【００１３】
本発明の建物は、上記した陸屋根の屋根裏換気構造を備えていることを特徴とする。
【発明の効果】
【００１４】
このような本発明の陸屋根の屋根裏換気構造は、陸屋根を有する建物の屋根裏換気構造である。
【００１５】
そして、陸屋根の屋根面を形成する屋根部材を支持する垂木が下側部材と接して屋根裏空間が形成されているとともに、垂木の長辺側両側面間を貫通して通気孔が設けられた構成とされている。
【００１６】
こうした構成なので、陸屋根の強度を確保し、下部の屋内空間の高さも低くせずに、屋根面を低くして、屋根面を形成する屋根部材を支持する垂木とその下部の下側部材との間の隙間が無くなっても、通気孔から垂木の長手方向と直交する方向へも通気ができ、風の強さが弱いときや、風の向きに偏りがあるときも、良好な屋根裏換気が行え、庇部をコンパクトにして意匠的美観を良くすることができる。
【００１７】
ここで、通気孔が、垂木の上側又は下側に形成された切欠、又は垂木の上下間の中間位置に形成された貫通孔である場合は、ノコギリやドリルなどの工具を用いて、通気孔を簡易に形成することができる。
【００１８】
また、通気孔が、垂木に複数設けられており、垂木の長手方向の両端部の近傍には、切欠として、矩形の切欠が形成されており、垂木の長手方向の中間部には、貫通孔として、円形の貫通孔が形成されている場合は、垂木の両端部の近傍では、矩形の切欠を垂木の長手方向に細長く形成すれば、必要な通気面積を得られるうえに、大きなせん断力に耐え得るだけの大きな部材断面を確保でき、垂木の中間部では、円形の貫通孔を必要な通気面積で形成しても、構造的に力が分散され、大きな曲げモーメントに耐えることができる。
【００１９】
さらに、下側部材が、断熱材である場合は、陸屋根の強度だけでなく、断熱性能も確保することができる。
【００２０】
このような本発明の建物は、上記した陸屋根の屋根裏換気構造を備えた構成とされている。
【００２１】
こうした構成なので、上記した陸屋根の屋根裏換気構造の効果を奏する建物とすることができる。
【図面の簡単な説明】
【００２２】
【図１】実施例の陸屋根の屋根裏換気構造を備えた建物の概略構成を示す斜視図である。
【図２】図１におけるＡ−Ａ線矢視拡大断面図である。
【図３】図１におけるＢ−Ｂ線矢視拡大断面図である。
【図４】実施例で用いられる垂木の側面図である。
【発明を実施するための形態】
【００２３】
以下、本発明を実施するための形態を、図面に示す実施例に基づいて説明する。
【実施例】
【００２４】
先ず、実施例の構成について説明する。
【００２５】
図１は、実施例の陸屋根の屋根裏換気構造を備えた建物１の概略構成を示している。
【００２６】
まず、この建物１は、図１に示したように、基礎１Ｂの上に、建物本体１Ａが構築されている。
【００２７】
ここで、この建物１は、陸屋根１Ｃを有している。
【００２８】
この実施例の陸屋根の屋根裏換気構造は、軒樋２を有する側では、図２に示したように、溝形鋼の天井梁３の上側フランジ部３ａの上側面に断面略Ｗ字形状の受け部材４がボルト及びナットにより固定されており、この受け部材４の上側面に、垂木５，・・・の端部が、天井梁３の長手方向に略等間隔で架設されている。
【００２９】
そして、垂木５，・・・の上側面には、屋根部材として、板状の屋根下地材６が貼設され、さらには、この屋根下地材６の表面には、屋根仕上げ材としての折版７が取り付けられて、陸屋根１Ｃが形成されている。
【００３０】
また、溝形鋼の天井梁３の下側フランジ部３ｂの上側面には、野縁８，・・・の端部が、天井梁３の長手方向に略等間隔で架設されている。
【００３１】
そして、野縁８，・・・の下側面には、天井面材９が貼設されている。
【００３２】
さらに、天井面材９の上側面と垂木５，・・・との間には、下側部材としての断熱材１０が充填されている。
【００３３】
なお、断熱材１０は、必要な断熱性能を確保するために、屋根裏空間を確保したうえで、垂木５，・・・の下端部よりも若干上まで充填されている。
【００３４】
また、溝形鋼の天井梁３のウェブ部３ｃの外側面には、庇アーム部材１１，・・・が、天井梁３の長手方向に略等間隔でボルト及びナットにより略水平方向に固定されている。
【００３５】
さらに、庇アーム部材１１，・・・の外側端部には、パラペット１２が固定されている。
【００３６】
そして、屋根仕上げ材としての折版７の端部近傍の下側面と、パラペット１２の上端部との間に、軒樋部材２ａが取り付けられ、軒樋２が形成されている。
【００３７】
また、より防水性を高めるために、庇アーム部材１１，・・・の上部には、二次樋部材２０ａが取り付けられ、軒樋２の下部に、二次樋２０が形成されている。
【００３８】
なお、軒樋２の端部は、図示省略の縦樋と連通しており、雨水の排水を可能としている。
【００３９】
さらに、庇アーム部材１１，・・・の下側面には、軒天パネル１３が取り付けられている。
【００４０】
ここで、パラペット１２の下端部と、軒天パネル１３の外側端部との間には、若干の隙間が設けられ、換気口１４が形成されている。
【００４１】
なお、換気口１４の入って直ぐの箇所には、防鳥部材１５が設けられており、鳥などが侵入して巣などを作るのを防止している。
【００４２】
一方で、軒樋２を有しない側では、図３に示したように、パラペット１２の上端部と、屋根部材としての屋根下地材６及び折版７との間が軒樋部材２ａを介さずに直接固定されていることが主に異なる。
【００４３】
ここで、垂木５には、図４に示したように、この垂木５の両端部の近傍の上側に、矩形の切欠５ａ，・・・が形成されており、この垂木５の中間部には、円形の貫通孔５ｂ，・・・が形成されており、これらの切欠５ａ，・・・及び貫通孔５ｂ，・・・が屋根裏換気用の通気孔となる。
【００４４】
そして、風の強さが弱いときや、風の向きに偏りがあるときも、図２及び図３に示したように、換気用の空気は、矢印Ｗのように流れ、良好な屋根裏換気が行われる。
【００４５】
なお、軒樋２を有しない側では、庇アーム部材１１，・・・の上部の屋根下地材６及び折版７の端部近傍を支持する垂木５０には、必要がないので、切欠５ａ及び貫通孔５ｂは形成されていない。
【００４６】
次に、実施例の作用効果について説明する。
【００４７】
このような実施例の陸屋根の屋根裏換気構造は、陸屋根１Ｃを有する建物１の屋根裏換気構造である。
【００４８】
そして、陸屋根１Ｃの屋根面を形成する屋根部材としての屋根下地材６及び折版７を支持する垂木５，・・・が下側部材としての断熱材１０と接して屋根裏空間が形成されているとともに、垂木５，・・・の長辺側両側面間を貫通して切欠５ａ，・・・及び貫通孔５ｂ，・・・により通気孔が設けられた構成とされている。
【００４９】
こうした構成なので、陸屋根１Ｃの強度を確保し、下部の屋内空間の高さも低くせずに、屋根面を低くして、屋根面を形成する屋根部材としての屋根下地材６及び折版７を支持する垂木５，・・・とその下部の断熱材１０との間の隙間が無くなっても、切欠５ａ，・・・及び貫通孔５ｂ，・・・により形成された通気孔から垂木５，・・・の長手方向と直交する方向へも通気ができ、風の強さが弱いときや、風の向きに偏りがあるときも、良好な屋根裏換気が行え、庇部をコンパクトにして意匠的美観を良くすることができる。
【００５０】
ここで、垂木５，・・・の通気孔は、垂木５，・・・の上側に形成された切欠５ａ，・・・及び垂木５，・・・の上下間の中間位置に形成された貫通孔５ｂ，・・・である。
【００５１】
このため、ノコギリやドリルなどの工具を用いて、通気孔を簡易に形成することができる。
【００５２】
また、通気孔は、垂木５それぞれに複数設けられており、垂木５の長手方向の両端部の近傍には、矩形の切欠５ａ，・・・が形成されており、垂木５の長手方向の中間部には、円形の貫通孔５ｂ，・・・が形成されている。
【００５３】
このため、垂木５の両端部の近傍では、矩形の切欠５ａ，・・・を垂木５の長手方向に細長く形成すれば、必要な通気面積を得られるうえに、大きなせん断力に耐え得るだけの大きな部材断面を確保でき、垂木５の中間部では、円形の貫通孔５ｂを必要な通気面積で形成しても、構造的に力が分散され、大きな曲げモーメントに耐えることができる。
【００５４】
さらに、下側部材は、断熱材１０である。
【００５５】
このため、陸屋根１Ｃの強度だけでなく、断熱性能も確保することができる。
【００５６】
このような実施例の建物１は、上記した実施例の陸屋根の屋根裏換気構造を備えた構成とされている。
【００５７】
こうした構成なので、上記した実施例の陸屋根の屋根裏換気構造の作用効果を奏する建物とすることができる。
【００５８】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００５９】
例えば、上記した実施例では、庇部を設けて実施したが、これに限定されず、庇部を設けずに、換気口を形成できる程度の笠木などを設けて実施してもよい。
【００６０】
また、上記した実施例では、屋根仕上げ材として、折版７を用いて実施したが、これに限定されず、屋根仕上げ材として、平板状の部材などを用いて実施してもよい。
【００６１】
また、上記した実施例では、下側部材として、断熱材１０を用いて実施したが、これに限定されず、下側部材として、調湿材などを介して実施してもよい。
【００６２】
さらに、上記した実施例では、通気孔として、矩形の切欠５ａ，・・・と、円形の貫通孔５ｂ，・・・を形成したが、これに限定されず、垂木５の両側面間を貫通していれば、様々な形状で実施してもよい。
【符号の説明】
【００６３】
１      建物
１Ａ    建物本体
１Ｂ    基礎
１Ｃ    陸屋根
２      軒樋
２ａ    軒樋部材
２０    二次樋
２０ａ  二次樋部材
３      天井梁
３ａ    天井梁の上側フランジ部
３ｂ    天井梁の下側フランジ部
３ｃ    天井梁のウェブ部
４      受け部材
５      垂木
５０    垂木
５ａ    切欠
５ｂ    貫通孔
６      屋根下地材（屋根部材）
７      折版（屋根部材）
８      野縁
９      天井面材
１０    断熱材（下側部材）
１１    庇アーム部材
１２    パラペット
１３    軒天パネル
１４    換気口
１５    防鳥部材
【図１】
0005608476.tif 000002
【図２】
0005608476.tif 000003
【図３】
0005608476.tif 000004
【図４】
0005608476.tif 000005